(57)【要約】【課題】浴槽の側壁の上縁部に取り付ける際の動作を容易なものとすることができる手摺を提供することを課題とする。【解決手段】浴槽の側壁の上縁部に嵌めるように取り付けられる手摺１であって、固定部材１０と、浴槽の側壁に近接または離間する方向に移動可能に構成される移動部材２０と、移動部材２０に配置されて浴槽の側壁に近接または離間する方向に移動可能に構成される押付け部材３２と、を備え、固定部材１０と押付け部材３２とで浴槽の側壁を挟み込むことで浴槽の側壁の上縁部に取り付けられるものである。【選択図】図１
2019051041.tif 000002
【特許請求の範囲】
【請求項１】
浴槽の側壁の上縁部に嵌めるように取り付けられる手摺であって、
固定部材と、
前記浴槽の側壁に近接または離間する方向に移動可能に構成される移動部材と、
前記移動部材に配置されて前記浴槽の側壁に近接または離間する方向に移動可能に構成される押付け部材と、を備え、
前記固定部材と前記押付け部材とで前記浴槽の側壁を挟み込むことで前記浴槽の側壁の上縁部に取り付けられる、手摺。
【発明の詳細な説明】
【技術分野】
【０００１】
本発明は、手摺の技術に関する。
【背景技術】
【０００２】
従来、浴槽の側壁の上縁部に嵌めるように取り付けられて、手摺部を把持しながら浴槽への入出動作を行えるようにする手摺（浴槽用手摺）に関する技術は公知となっている（特許文献１参照）。
前記手摺は、使用者が腰かけるための台部材を備える。また前記手摺は、固定部材と、押付け部材と、手摺部と、ネジ棒と、ハンドルとを備える。押付け部材は、ネジ棒を介してハンドルと連結されて、ハンドルを回転させることによって、浴槽の側壁に近接または離間する方向に移動可能に構成される。前記手摺は、押付け部材を槽の側壁に近接する方向に移動させて、固定部材と押付け部材とで浴槽の側壁を挟み込むことで浴槽の側壁の上縁部に取り付けられる。
【先行技術文献】
【特許文献】
【０００３】
【特許文献１】特開２０００−３３６８８２号公報
【発明の概要】
【発明が解決しようとする課題】
【０００４】
しかしながら、前記手摺が取り付けられる浴槽の側壁の厚みについて、様々な仕様の物がある。このため、前記手摺では、固定部材と押付け部材とで浴槽の側壁を挟み込む際に、固定部材に対する押付け部材の距離が比較的長い場合には、多量にハンドルを回転させることを要し、その動作が億劫な場合があった。
【０００５】
本発明は以上の如き状況に鑑みてなされたものであり、浴槽の側壁の上縁部に取り付ける際の動作を容易なものとすることができる手摺を提供することを課題とする。
【課題を解決するための手段】
【０００６】
本発明の解決しようとする課題は以上の如くであり、次にこの課題を解決するための手段を説明する。
【０００７】
即ち、請求項１においては、浴槽の側壁の上縁部に嵌めるように取り付けられる手摺であって、固定部材と、前記浴槽の側壁に近接または離間する方向に移動可能に構成される移動部材と、前記移動部材に配置されて前記浴槽の側壁に近接または離間する方向に移動可能に構成される押付け部材と、を備え、前記固定部材と前記押付け部材とで前記浴槽の側壁を挟み込むことで前記浴槽の側壁の上縁部に取り付けられるものである。
【発明の効果】
【０００８】
本発明の効果として、以下に示すような効果を奏する。
即ち、本発明によれば、浴槽の側壁の上縁部に取り付ける際の動作を容易なものとすることができる。
【図面の簡単な説明】
【０００９】
【図１】本発明の実施形態に係る手摺を浴槽に取り付けた状態を示す図。
【図２】同じく手摺を示す正面図。
【図３】同じく手摺を示す背面図。
【図４】同じく手摺を示す平面図。
【図５】同じく手摺を示す底面図。
【図６】同じく手摺を示す右側面図。
【図７】同じく手摺の固定部材を示す斜視図。
【図８】同じく手摺の移動部材を示す斜視図。
【図９】同じく手摺の台部材を取り外した状態を示す斜視図。
【図１０】同じく手摺の台部材を取り外した状態を示す平面図。
【図１１】（ａ）同じく手摺の移動部材を示す断面図、（ｂ）同じく手摺の移動部材を示す断面図、（ｃ）同じく手摺の移動部材を示す断面図。
【図１２】同じく手摺の移動部材を移動させた状態を示す右側面図。
【図１３】同じく手摺を示す斜視図。
【図１４】同じく手摺を示す斜視図。
【図１５】同じく手摺の手摺部を示す底面図。
【図１６】同じく手摺の手摺部を示す底面図。
【図１７】同じく手摺の手摺部のカバー部材を示す底面図。
【図１８】同じく手摺の手摺部のカバー部材を示す側面図。
【図１９】同じく手摺の手摺部を示す斜視図。
【発明を実施するための形態】
【００１０】
次に、図１から図１３に記載の手摺１について説明する。
【００１１】
図１に示すように、手摺１は、浴槽用手摺であり、浴槽Ａの側壁の上縁部に嵌めるように取り付けられる。手摺１は、使用者が台部材４０に腰かけることができ、手摺部３３を把持しながら浴槽Ａへの入出動作を行えるようにするものであり、介護用品として用いられる。
図１から図１３に示すように、手摺１は、固定部材１０と、移動部材２０と、ネジ棒３０と、ハンドル３１と、押付け部材３２と、手摺部３３と、台部材４０と、を備える。
【００１２】
固定部材１０は、浴槽Ａの外側に配置される。固定部材１０は、一端側が移動部材２０側または押付け部材３２側を向き、他端側が下方を向く、略Ｌ字状に形成される。固定部材１０の他端側部の内側（浴槽Ａの側壁側）には、ゴム素材からなる干渉部材１１がそれぞれ設けられる。
【００１３】
移動部材２０は、浴槽Ａの内側に配置される。移動部材２０は、一端側が固定部材１０側を向き、他端側が下方を向く、略Ｌ字状に形成される。移動部材２０は、固定部材１０の一端側部の下面に取り付けられる。移動部材２０は、浴槽Ａの側壁に近接または離間する方向に移動可能に構成される。移動部材２０は、他端側部の略中央部に、ネジ棒３０が貫装される貫通孔２１を備える。
【００１４】
ハンドル３１は、移動部材２０の他端側部の外側（浴槽Ａの側壁側と反対側）に配置される。ハンドル３１は、ネジ棒３０の一端部に設けられる。
【００１５】
押付け部材３２は、移動部材２０の他端側部の内側に配置される。押付け部材３２は、ネジ棒３０の他端部に固定される。押付け部材３２は、ハンドル３１を回転させることによって、浴槽Ａの側壁に近接または離間する方向に移動可能に構成される。押付け部材３２の内側（浴槽Ａの側壁側）には、ゴム素材からなる干渉部材３４が設けられる。
【００１６】
手摺部３３は、棒状の部材を弧状に形成して、移動部材２０の他端側部の外側に配置される。
【００１７】
台部材４０は、例えば、使用者が腰かける用途に用いられ、また、腰かけた状態で足を浴槽Ａの側壁より上に上げて浴槽Ａへの出入りを容易にする。台部材４０は、略円板状に構成される。台部材４０は、固定部材１０の一端側部の上面に固定される基台４１と、基台４１に取り付けられる取付部材４２と、ゴム素材からなる干渉部材４３と、を備える。干渉部材４３は、取付部材４２の上面に回転可能に設けられて、取付部材４２と一体的に構成される。干渉部材４３と取付部材４２とは、基台４１の上面に着脱可能に設けられる。
【００１８】
固定部材１０の一端側部の中央部において、外側面が突状に形成され、内側面が凹状に形成される。固定部材１０は、一対の第一突条部１３を備える。第一突条部１３は、一端側部の内側面の凹状部分と他の部分との境界部分（凹状に形成され始める部分）に沿って、互いに向き合うように突出する。
移動部材２０の中央部において一端から他端に沿って、外側面が突状に形成され、内側面が凹状に形成される。移動部材２０は、一対の第二突条部２２を備える。第二突条部２２は、外側面の突状部分の突出側端部から外側に突出する。
移動部材２０は、第一突条部１３と第二突条部２２とを係合させることによって固定部材１０に取り付けられ、浴槽Ａの側壁に近接または離間する方向に移動可能に構成される。
【００１９】
固定部材１０は、一端側部に、第一固定孔１４を備える。
移動部材２０は、一端側部に複数個（三個）の第二固定孔２３を備える。第二固定孔２３は、不等間隔に配置される。
台部材４０の基台４１は、第三固定孔４５を備える。第三固定孔４５は、第一固定孔１４および第二固定孔２３よりも径が大きく構成される。台部材４０は、第一固定孔１４と第三固定孔４５とが連通した状態で移動部材２０に固定される。
移動部材２０を移動させて、第一固定孔１４および第三固定孔４５に対して、複数個の第二固定孔２３のうち所望の第二固定孔２３を連通させた状態とし、台部材４０の外側から固定ピン４６を、第一固定孔１４、第二固定孔２３、および第三固定孔４５に差し込むことによって、固定部材１０に対する移動部材２０の位置（浴槽Ａの側壁からの距離）を固定する。
【００２０】
手摺１を浴槽Ａの側壁に取り付ける方法について説明する。
まず、固定部材１０を浴槽Ａの外側に配置し、押付け部材３２（移動部材２０）を浴槽Ａの内側に配置して、手摺１を浴槽Ａの側壁の縁部に配置する。
次に、移動部材２０を浴槽Ａの側壁に近接または離間するように移動させて、浴槽Ａの側壁に対して押付け部材３２が近接した状態となるように、固定部材１０に対する移動部材２０の位置を決定する。
そして、ハンドル３１を回転させて浴槽Ａの側壁に近接する方向に押付け部材３２を移動させて、押付け部材３２と固定部材１０とで浴槽Ａの側壁を挟み込む。
このようにして、手摺１は、浴槽Ａの側壁の上縁部に固定される。
【００２１】
このように、手摺１では、浴槽Ａの側壁に取り付ける際に、移動部材２０を移動させて、浴槽Ａの側壁に対して押付け部材３２が近接した状態となるように、固定部材１０に対する移動部材２０の位置を決定した後、浴槽Ａの側壁に近接する方向に押付け部材３２を移動させて、押付け部材３２と固定部材１０とで浴槽Ａの側壁を挟み込む。このため、手摺１によれば、浴槽Ａの側壁の上縁部に取り付ける際の動作を容易なものとすることができる。
【００２２】
また、固定部材１０は、一端側部に差し込み孔１５を備える。差し込み孔１５は、支え板１６を嵌装可能に構成される。支え板１６は、差し込み孔１５に取り付けられた状態で、床面（例えば、浴槽Ａ外の洗い場の床面）に下端部が当接するように構成される。支え板１６を取り付けることによって、手摺１を浴槽Ａの側壁に取り付けた状態の、手摺１の姿勢を安定させることができる（図１または図１３参照）。
【００２３】
次に、図１４から図１９に記載の手摺５０について説明する。
【００２４】
手摺５０は、床起き手摺であり、例えば、寝室の周りや浴室に配置されて、手摺部５３を把持しながら立ち上がり動作を行えるようにするものであり、介護用品として用いられる。
図１４から図１９に示すように、手摺５０は、台部材５１と、複数個（二個）の柱部材５２と、複数個（二個）の手摺部５３と、を備える。
【００２５】
台部材５１は、平面視略四角形の平板状に構成される。
柱部材５２は、台部材５１の上面に立設される。柱部材５２は、台部材５１の一方の短辺近傍に並んで配置される。柱部材５２の上部には、固定孔が上下に設けられる。
二個の手摺部５３は、上下に配置される。手摺部５３は、両端にそれぞれ取付け軸を備え、柱部材５２の固定孔に取付け軸を換装させることによって、二個の柱部材５２間を渡るように配置される。
【００２６】
このように構成される手摺５０では、例えば、台部材５１上に使用者が位置した状態で、手摺部５３を把持しながら立ち上がり動作を行うことができる。
【００２７】
手摺部５３は、滑り止め防止用のカバー部材５４を備える。
カバー部材５４は、ゴム素材で構成される平面視略四角形の平板状の部材である。カバー部材５４は、裏面に接着剤が設けられた状態で手摺部５３に巻き付けるように設けられる。カバー部材５４の両端部には、それぞれ面ファスナ５５が設けられ、メンファスナ５５同士を連結することによって、カバー部材５４の端部が剥がれ出すことを防止して、手摺部５３に巻き付けられた状態を保持することができる。
【００２８】
図１９に示すように、手摺５０は、三個の柱部材５２を備え、手摺部５３を平面視で略Ｌ字状に配置する構成とすることもできる。
【符号の説明】
【００２９】
１    手摺
１０  固定部材
２０  移動部材
３０  ネジ棒
３１  ハンドル
３２  押付け部材
３３  手摺部
４０  台部材
４３  固定ピン
５０  手摺
５１  台部材
５２  柱部材
５３  手摺部
５４  カバー部材
【図１】
2019051041.tif 000003
【図２】
2019051041.tif 000004
【図３】
2019051041.tif 000005
【図４】
2019051041.tif 000006
【図５】
2019051041.tif 000007
【図６】
2019051041.tif 000008
【図７】
2019051041.tif 000009
【図８】
2019051041.tif 000010
【図９】
2019051041.tif 000011
【図１０】
2019051041.tif 000012
【図１１】
2019051041.tif 000013
【図１２】
2019051041.tif 000014
【図１３】
2019051041.tif 000015
【図１４】
2019051041.tif 000016
【図１５】
2019051041.tif 000017
【図１６】
2019051041.tif 000018
【図１７】
2019051041.tif 000019
【図１８】
2019051041.tif 000020
【図１９】
2019051041.tif 000021